(57)【特許請求の範囲】
【請求項１】
トイレペイパホルダ器（１）の左器械基盤（５）所定位置に配設した回動連芯軸（８）軸心から上方所定位置に紙切扇形盤軸受（９）を配設し左器械基盤（５）と対面する右器械器盤（７）の回動連芯軸（８）と紙切扇形盤軸受（９）芯軸同一に押込連軸受（１０）及び右紙切扇形盤軸受（１１）を配設し回動連芯軸（８）に巻紙回動連（１２）を巻紙回動軸孔（１６）で装入し押込連軸受（１０）に巻紙押込盤（１７）と球体押込軸（１８）に一筋割目（１９）を形成し押込盤軸筒（２０）に球体抑圧バネ（２１）を形成した巻紙押込連（１３）を装着し押込連軸受（１０）に装入、ついで紙切扇形盤（２２）の扇形盤軸孔（２３）を中心点に扇形盤右縁先端（２４）及び扇形盤左縁先端（２５）と受動扇形縁（２６）に形成さらに所定位置に紙切板取付軸孔（２８）を設けた紙切扇形盤（２２）を紙切扇形盤軸受（９）に装入し受動扇形縁（２６）を円形作動盤（１４）と摺接し紙切扇形盤軸受（９）及び扇形盤軸孔（２３）の孔内に軸孔コイルバネ（３３）を挿着し扇形盤主軸（２９）の扇形盤芯軸（３０）にコイルバネ筒（３１）を装着したうえ左紙切板押ばね（３２）の上眼鏡状ばね（３４）に装入し扇形盤主軸（２９）の左端から扇形盤軸孔（２３）と紙切扇形盤軸受（９）に装入ついで扇形盤主軸（２９）の右端から巻紙反動止ばね（４０）を巻紙反動止ばね輪（４１）で装入つぎに右紙切板押ばね（３９）の上眼鏡状ばね（３４）を装入し扇形盤主軸（２９）所定箇所に固着した右紙切板支持桿（４３）の鍔付取付孔（４４）の右紙切扇形盤軸受（１１）に装込したところで紙切板（２７）の左紙切支点突起（４７）を左紙切板押ばね（３２）の下眼鏡状ばね（３４）に挿入し紙切扇形盤（２２）の紙切板取付軸孔（２８）に装入し右紙切支点突起（４７）も右紙切板押ばね（３９）の下眼鏡状ばね（３４）に挿入し右紙切板支持桿（４３）の右紙切板取付軸孔（４５）に装入ついで巻紙反動止ばね輪（４１）により扇形盤主軸（２９）に装入した巻紙反動止ばね（４０）の反動留掛（４２）を反動止ばね口（４８）から紙切板（２７）の上面に挿着し紙切板（２７）を押圧しさらに左・右紙切押ばね（３９）の当圧で紙切縁（４６）を巻紙芯管（２）の上面に圧接したトイレペイパホルダ器。
【発明の詳細な説明】
【技術分野】
【０００１】  トイレペイパホルダ−の巻紙端片を繰出し切り離す仕組みに関連するものである。
【背景技術】
【０００２】  ペイパホルダに装着した巻紙芯管を手動で繰出し適宜の長さに紙切板で切り離す。
【先行技術文献】
【非特許文献】
【０００３】
【非特許文献１】特開２００９−１０６７１７号巻紙保持機器具
【非特許文献２】特開２０１０−０１２１８７号半自動巻紙ホルダ
【非特許文献３】特開２０１０−１２５３１３号ワンタッチ巻紙ホルダ
【非特許文献４】特開２０１１−００５２０３号ペーパホルダの巻紙端片繰出装置
【非特許文献５】特開２０１０−２９４８８１号巻紙がま口ホルダ
【発明の概要】
【発明が解決しようとする課題】
【０００４】  トイレペイパホルダの巻紙芯管を手回動させずに巻紙端片を繰り出す器械仕組。【０００５】  巻紙端片を繰り出したときに巻紙芯管が回動し器械仕組で紙切板が動作する。【０００６】  紙切板は巻紙端片の繰り出しと共に引き出され巻紙端片の切り離なしで元位置に復帰。【０００７】  本器械仕組は紙切板を巻紙芯管の一方向回動にもかかわらず往復動作するにある。
【課題を解決するための手段】
【０００８】紙切板を付着した紙切扇形盤を連動し紙切板の紙切縁を巻紙芯管に当てておき巻紙端片を繰り出せば紙切扇形盤も作動し巻紙端片を切り離せば紙切扇形盤は元位置に復帰する。
【発明の効果】
【０００９】  トイレペイパホルダ器は簡単仕組で軽便に巻紙端片を繰り出し切り離しを奇麗にする。
【図面の簡単な説明】
【００１０】
【図１】トイレペイパホルダ器の要部構成仕組簡略斜視図。
【図２】トイレペイパホルダ器の要部構成仕組並列平面図。
【図３】トイレペイパホルダ器の図２Ａ−Ａ線に沿う動作要部元位置左側面図。
【図４】トイレペイパホルダ器の図３につづく要部作動左側面図。
【図５】トイレペイパホルダ器の図４につづく要部作動左側面図。
【図６】トイレペイパホルダ器の図５につづく要部作動左側面図。
【図７】トイレペイパホルダ器の図２Ｂ−Ｂ線に沿う要部動作左側面図。
【発明を実施するための形態】
【００１１】  図１に示すトイレペイパホルダ器１の外郭装は柔軟合成樹脂材にて成形し前面開放側を一時拡幅にし当器械仕組の挿入装着を容易にする。
【００１２】図１と図２及び図３と図４と図５と図６に示す左側外装面４の内側面に左器械基盤５をついで図７に示すように右側外装面６の内側面に右器械基盤７を各所定位置に装着する。
【００１３】  図１と図２及び他図に示す左器械基盤５の下方向所定位置に配設した回動連芯軸８及び同芯軸８の軸心から上方向所定離間位置に紙切扇形盤軸受９を各々成形し配設する。
【００１４】  次ぎに図７に示す右器械基盤７に回動連芯軸８軸心と対面所定位置に押込連軸受１０と紙切扇形盤軸受９の軸心と対面所定位置に右紙切扇形盤軸受１１を成形配設する。
ついで回動連芯軸８に巻紙回動連１２を押込連軸受１０に巻紙押込連１３を装入着する。
【００１５】  図２に示す回動連芯軸８に挿入着する巻紙回動連１２の左端を円形作動盤１４にし右端を半球面の外周歯形円板１５にし巻紙芯管２を挿着するようにし巻紙回動連１２中心軸に巻紙回動軸孔１６を貫設し回動連芯軸８に挿入したうえ同芯軸８の右端に刻設した歯止溝に抜け出し防止金具を挿着のうえ回動するようにしておく。
【００１６】  図２に示すように巻紙押込連１３は左端面を皿形状の巻紙押込盤１７にし右端片を球体押込軸１８の茸子形態にし、また図示のように左端周縁を内径方向に鍔を付しさらに右側方向に拡径した円錐状で側縁縦長に一筋割目１９を成形したばね材質の押込盤軸筒２０の左端口から球体押込軸１８の右端から押込盤軸筒２０内に装入する。
【００１７】図２に示す押込盤軸筒２０の側縁を一筋割目１９で分別し他に複数の割筋を入れ複数の脚片を形成し球体押込軸１８の押圧動受に球体抑圧ばね２１の内径側に曲折片と押込盤軸筒２０を保持する延直片に分別し、また巻紙回動連１２及び押込盤軸筒２０の組込装着は右器械基盤７の押込連軸受１０の装入はトイレペイパホルダ器１に右器械基盤７を装着する際におこなう。即ち、巻紙押込連１３の球体押込軸１８側から押込連軸受１０に装入し押込連軸受１０内に突出した球体押込軸１８右端から球体抑圧ばね２１を差込みそのまま右器械基盤７を右側外装面６内面に密接装着すれば上記部位が所定に仕組まれる。
【００１８】  全図に示す紙切扇形盤２２の外形状は扇形盤軸孔２３中心を基点の正及び二等辺三角形に非ずして扇形盤軸孔２３中心点から扇形盤右縁先端２４の幅員を扇形盤左縁先端２５の幅員より長く（＋２ミリ）設定し扇形盤右縁先端２４と左縁先端２５の端縁のピツチ長さは扇形盤軸孔２３中心近似点を中心にした受動扇形縁２６にし、さらに紙切扇形盤２２の扇形盤軸孔２３中心から扇形盤左縁先端２５内側沿い所定位置に紙切板２７の紙切板取付軸孔２８を配設し、扇形盤軸孔２３内に硬質樹脂管の軸受を装入着しておく。受動扇形縁２６は扇形盤右縁先端２４と扇形盤左縁先端２５を結ぶ正扇形縁になるが扇形盤軸孔２３中心の同心円ではなく扇形盤右縁先端２４を支点にした内縁側に入り込む。
【００１９】  図１と図２と他図に示す紙切扇形盤２２を支持する扇形盤主軸２９の左端を段差縮径し扇形盤芯軸３０を形成しコイルばね筒３１を左端から挿着し外周に左紙切板押ばね３２を装入し扇形盤芯軸３０に繭形の軸孔コイルばね３３を装入しその両端を扇形盤芯軸３０に固着せしめ紙切扇形盤２２の扇形盤軸孔２３を貫通し左器械基盤５の紙切扇形盤軸受９と可動に装着し紙切扇形盤２２は巻紙回動連１２の円形作動盤１４に着接上下微動しながら巻紙芯管２を挿着された円形作動盤１４の一方回動に対し往復動作せしめる。
【００２０】図に示す紙切扇形盤２２に装着する上及び下眼鏡状ばね３４は眼鏡状一連ばねで形成し上眼鏡状ばね３４は扇形盤軸孔２３に付し扇形盤主軸２９に装入し上眼鏡状ばね３４右端を所定延長し支点掛金３５にしホルダ前縁３６に引掛け下眼鏡状ばね３４は紙切板２７の紙切板支点突起３７に挿入し紙切扇形盤２２の左紙切板取付軸孔３８に装着しばね一端を延長し紙切板２７の紙切板押ばね３９にし上及び下眼鏡状ばね３４は扇形盤復帰ばねにしまた右器械基盤７側の上及び下眼鏡状ばね３４は左器械基盤５の装置動作と対象になる。
【００２１】全図に示す扇形盤主軸２９右端を右器械基盤７の右紙切扇形盤軸受１１に装入する際に巻紙反動止ばね４０左右の巻紙反動止ばね輪４１で装入懸架し左右巻紙反動止ばね輪４１の外側縦長線を拡幅し先端横縁を紙切板２７上面に押しあてることで巻紙反動留掛４２になりついで左右の巻紙反動止ばね輪４１の内側縦長線をＵ字形所定延長し背面外装４９内面側と巻紙芯管２の後面側の間隙内に巻紙反動止ばね４０の留掛縁を所定位置し、巻紙反動止ばね４０の弾力性は巻紙反動止ばね輪４１を支点に二双に拡小し拡大して取付ける。
【００２２】図２及び図７に示す扇形盤主軸２９右端所定位置に固着した右紙切板支持桿４３の鍔付取付孔４４の中心から所定離間位置に右紙切板取付軸孔４５を穿設し鍔付取付孔４４の鍔外周に右紙切板押ばね３９の上・下眼鏡状ばね３４を挿入したうえ扇形盤主軸２９右最端を右器械基盤７の右紙切扇形盤軸受１１に可動装入する。
【００２３】図に示す紙切板２７は「ちり取」をふせたようにした箱蓋状で紙切板２７の長方形縦長の基軸左右端面に紙切支点突起４７を形成し縦長対面縁を紙切縁４６にし基端縁の中央に所定形状の反動止ばね口４８を形成し巻紙芯管２の内幅はトイレペイパ規格寸法になる。
【００２４】  紙切板２７は巻紙反動止ばね４０を反動止ばね口４８開口から挿入し巻紙反動留掛４２は紙切板２７の上面を抑え左右紙切支点突起４７で紙切扇形盤２２の紙切板取付軸孔２８及び右紙切板支持桿４３の右紙切板取付軸孔４５に装入懸架する。
【００２５】  紙切板２７の左右紙切支点突起４７を左紙切板押ばね３２と右紙切板押ばね３９の上下眼鏡状ばね３４の下眼鏡状ばね３４に挿入し、左右紙切支点突起４７を紙切扇形盤２２の紙切板取付軸孔２８と右紙切板支持桿４３の右紙切板取付軸孔４５に可動に装入し左・右紙切板押ばね３２により紙切板２７に圧接すれば紙切扇形盤２２の紙切板取付軸孔２８と右紙切支持桿４３の右紙切板取付軸孔４５は縦長片持ゆえに多少捻り状になるが巻紙回動連１２と巻紙押込連１３に巻紙芯管２を装着し紙切板２７の紙切縁４６が当接平行する。
【００２６】  以上。トイレペイバホルダ器１の左側外装面４内面に固着する左器械基盤５及び右側外装面６内面に固着する右器械基盤７に直接機素を仕組込みする場合も、また左器械基盤５および右器械基盤７をトイレペイパホルダ器１と分離仕組工程の終了後の合体組立の際にトイレペイパホルダ器１の前面縦長幅を一時拡幅して分離組立部を挿入して装着する。
【００２７】  トイレペイパホルダ器１を壁面等に背面外装４９の器具取付穴５０でねじ留めをする。
【実施例】
【００２８】  トイレペイパホルダ器１の下方より巻紙芯管２を挿入し紙切板２７の紙切縁４６と反動止掛４２を巻紙芯管２上面を当接し持ちあげながら巻紙芯管２の右端を巻紙押込連１３の巻紙押込盤１７に押し当てると共に左端を巻紙回動連１２の外周歯形円板１５に挿着すれば巻紙押込盤１７は球体押込軸１８の球体抑圧ばね２１の左方向側延圧により巻紙芯管２は巻紙回動連１２と巻紙押込連１３に挿着保持せられる。【００２９】図に示す左紙切板押ばね３２は上眼鏡状ばね３４を紙切扇形盤２２の扇形盤主軸２９に装入し支点掛金３５でホルダ前縁３６に引っかけ着接し、下眼鏡状ばね３４を紙切扇形盤２２の紙切板取付軸孔２８同軸心にし右紙切支点突起４７を装入すると同様に右紙切板押ばね３９を装入した右紙切板支持桿４３の右紙切板取付軸孔４５に右紙切支点突起４７を装入し支点掛金３５でホルダ前縁３６に着接し、左紙切板押ばね３９及び右紙切板押ばね３９で紙切板２７を抑えておき紙切扇形盤２２及び右紙切板取付軸孔４５を左方向に押し込みにより扇形盤右縁先端２４は円形作動盤１４に直接し扇形盤左縁先端２５は背面外装４９の内側面に接触の位置に待機し右紙切板支持桿４３は紙切板２７を懸架したうえ紙切扇形盤２２と扇形盤主軸２９で連動する。【００３０】  図２と図３と図４に示す軸孔コイルばね３３の撥動で紙切扇形盤２２の扇形盤右縁先端２４は円形作動盤１４に圧接し巻紙芯管２を回動し巻紙端片３を繰り出すと扇形盤右縁先端２４が圧接摺動しながらトイレペイパホルダ器１の前面裏側に接触停止し扇形盤左縁先端２５と着接位置がわりし巻紙端片３を切り離なしと同時に円形作動盤１４と巻紙芯管２は停止し紙切扇形盤２２のやや左上向登坂状の受動扇形縁２６が円形作動盤１４の周面を滑走（スリップ）し紙切扇形盤２２と紙切板２７は元位置復帰し巻紙端片３が残留する。【００３１】  また、左紙切板押ばね３２と右紙切押板ばね３２及び左右紙切押ばね３９と巻紙反動止ばね４０の撥動度合は紙切板２７の用向動作と巻紙芯管２の反動止に限定。（巻紙芯管２挿入着を容易にする）以上、仕組作動をの記述したが次いで取り扱いかたを記載する。【００３２】  図３はトイレペイパホルダ器１に巻紙芯管２を挿着した所用前の状態だが巻紙芯管２を手動回動し巻紙端片３を人手で適宜長さに出しておき初回の所用分に準備する。（紙切扇形盤２２の扇形盤右縁先端２４が円形作動盤１４に圧接し紙切板２７も元位置に存る。）【００３３】  図４は巻紙端片３を繰り出し紙切板２７の紙切縁４６で切り離なせば紙切扇形盤２２と右紙切板支持桿４３は紙切板２７を懸架しながら元位置に戻る。（円形作動盤１４に紙切扇形盤２２の摺接を停止し扇形盤右縁先端２４の着接を解除し元位置に復帰する。）【００３４】  図５と図６は巻紙芯管２の消費で直径減衰に伴ない追従し紙切板２７が紙切扇形盤２２の紙切紙取付軸孔２８と右紙切板取付軸孔４５を支点に紙切縁４６の先端縁を除々に下向するが巻紙反動止ばね４０の巻紙反動留４２の巻紙芯管２の減衰追従には限度あり巻紙芯管２は小径に成るほど自力反転回動はすくなくなる。
【産業上の利用可能性】
【００３５】  トイレペイパホルダ器は付加機能仕組になり一般器具同様の簡便使用になり将来需要で衛生用諸設備も刷新され長期使用に適応するものと考案し実用化製品に適用すると考察。
【符号の説明】
【００３６】１    トイレペイパホルダ器
２    巻紙芯管
３    巻紙端片
４    左側外装面
５    左器械基盤
６    右側外装面
７    右器械基盤
８    回動連芯軸
９    紙切扇形盤軸受
１０  押込連軸受
１１  右紙切扇形盤軸受
１２  巻紙回動連
１３  巻紙押込連
１４  円形作動盤
１５  外周歯形円盤
１６  巻紙回動軸孔
１７  巻紙押込盤
１８  球体押込軸
１９  一筋割目
２０  押込盤軸筒
２１  球体抑圧ばね
２２  紙切扇形盤
２３  扇形盤軸孔
２４  扇形盤右縁先端
２５  扇形盤左縁先端
２６  受動扇形縁
２７  紙切板
２８  紙切板取付軸孔
２９  扇形盤主軸
３０  扇形盤芯軸
３１  コイルばね筒
３２  左・右紙切板押ばね
３３  軸孔コイルばね
３４  上・下眼鏡状ばね
３５  支点掛金
３６  ホルダ前縁
３７  紙切板支点突起
３８  左紙切板取付軸孔
３９  左・右紙切押ばね
４０  巻紙反動止ばね
４１  巻紙反動止ばね輪
４２  反動留掛
４３  右紙切板支持桿
４４  鍔付取付孔
４５  右紙切板取付軸孔
４６  紙切縁
４７  左・右紙切支点突起
４８  反動止ばね口
４９  背面外装
５０  器具取付穴
【図１】
0005641480.tif 000002
【図２】
0005641480.tif 000003
【図３】
0005641480.tif 000004
【図４】
0005641480.tif 000005
【図５】
0005641480.tif 000006
【図６】
0005641480.tif 000007
【図７】
0005641480.tif 000008